(57)【要約】【課題】設置される天井の高さによらず所定の風速が得られるシーリングファンを提供することを目的としている。【解決手段】モータの下面の制御ボックスに床面までの距離を検出する測距センサ２とを備え、前記制御手段１は、前記測距センサ２からの検出距離によって前記モータの回転数を制御することにより、設置される天井の高さが変わっても、羽根からの距離によらず所定の風速で送風することができるシーリングファンが得られる。【選択図】図１
2010138865.tif 000002
【特許請求の範囲】
【請求項１】
中心をシャフトで軸支される外転型のモータと、このモータの回転子に固定される羽根と、前記モータの固定子の下面に固定され前記モータの回転数を制御する制御手段と、床面までの距離を検出する測距手段とを備え、前記制御手段は、前記測距手段からの検出距離によって前記モータの回転数を制御する構成としたシーリングファン。
【請求項２】
モータは前記羽根の下方約４ｍ、中心から半径約２ｍの場所での風速が所定の設定風速で送風可能であるようにした請求項１記載のシーリングファン。
【請求項３】
人の場所を検出する人体検知センサを設け、前記羽根の中心からの距離によって区分された領域ごとの前記人体検知センサの検知結果も加味して前記モータの回転数を制御するようにした請求項１または２記載のシーリングファン。
【請求項４】
人体検出センサは前記測距センサで検出された床面までの距離によって検出角度を変えるようにした請求項３記載のシーリングファン。
【請求項５】
羽根の回転面に対して略平行に配置された複数の翼から構成される静止翼を備え、前記羽根の中心からの距離によって区分された領域ごとの前記人体検知センサの検知結果により、前記静止翼の全ての取付け角を変更するようにした請求項３または４記載のシーリングファン。
【請求項６】
羽根の中心からの距離によって区分された領域ごとの前記人体検知センサの検知結果により、前記静止翼の一部の取付け角を変更するようにした請求項３または４記載のシーリングファン。
【請求項７】
人体検知センサの検知がなくなると一定時間後に前記モータの回転数を所定の回転数まで低下するようにした請求項１〜６のいずれかに記載のシーリングファン。
【請求項８】
人体検知センサから一度検知がなくなり前記モータの回転数を所定の回転数まで低下させた後、前記人体検知センサから再度検知があった場合に前記モータの回転数を設定風速まで上昇するようにした請求項１〜６のいずれかに記載のシーリングファン。
【請求項９】
人体検知センサの検知がなくなると一定時間後に前記モータを停止するようにした請求項１〜６のいずれかに記載のシーリングファン。
【請求項１０】
人体検知センサから一度検知がなくなり前記モータを停止させた後、前記人体検知センサから再度検知があった場合に前記モータの回転数を設定風速まで上昇するようにした請求項１〜６のいずれかに記載のシーリングファン。
【請求項１１】
人体検知センサの一定時間内の検知回数が規定値を上回った場合には前記モータの回転数を上昇させるようにした請求項１〜６のいずれかに記載のシーリングファン。
【請求項１２】
人体検知センサの一定時間内の検知回数が規定値を上回った場合には前記モータの回転数を上昇させ、前記人体検知センサの一定時間内の検知回数が規定値を下回った場合には一定時間後に前記モータの回転数を所定の回転数まで低下するようにした請求項１〜６のいずれかに記載のシーリングファン。
【発明の詳細な説明】
【技術分野】
【０００１】
本発明は、一般家庭や事務所等で使用されるシーリングファンに関するものである。
【背景技術】
【０００２】
冷暖房機と併用して使用されるシーリングファンは、天井から涼風を供給するとともに、冷房時に床面に偏っている冷気を拡散させ、室内の温度を均一化させる機能が快適で健康にもよく、かつ、冷房機器を省エネ運転できる経済効果から普及が広がりつつある。
【０００３】
従来、この種のシーリングファンの一例としてリモコンで操作可能な天井扇風機が知られている（  例えば、特許文献１参照）。
【０００４】
以下、そのシーリングファンについて図１１、１２を参照しながら説明する。
【０００５】
図１１、１２に示すように、中心をシャフト１０１で軸支される外転型のモータ１０２と、このモータの回転子１０３に固定される羽根１０４と、前記モータ１０２の固定子１０５の下面に固定される制御ボックス１０６と、この制御ボックス１０６に収納される制御手段１０７と、前記制御ボックス１０６の下面に下向きにリモコンの赤外線信号を受信する受光ユニット１０８で構成されている。
【０００６】
上記構成において、シーリングファンの運転時には、リモコン（図示せず）からの赤外線信号を受光ユニット１０８が受信して電気信号に変換し、制御手段１０７に入力する。制御手段１０７はリモコンからの風速設定指示信号に従って規定された回転数になるようにモータ１０２に通電し、羽根１０４が回転して送風が行なわれる。
【特許文献１】特開平１０−３０６７９２号公報
【発明の開示】
【発明が解決しようとする課題】
【０００７】
このような従来のシーリングファンでは、１階の天井が２階の天井まで吹き抜けになっているリビング等の天井の高い場所に設置された場合、床面付近の人のいる位置では所定の風速がえられないという課題があった。
【０００８】
本発明は、このような従来の課題を解決するものであり、設置される天井の高さによらず所定の風速が得られるシーリングファンを提供することを目的としている。
【課題を解決するための手段】
【０００９】
本発明のシーリングファンは上記目的を達成するために、中心をシャフトで軸支される外転型のモータと、このモータの回転子に固定される羽根と、前記モータの固定子の下面に固定され前記モータの回転数を制御する制御手段と、床面までの距離を検出する測距センサとを備え、前記制御手段は、前記測距センサからの検出距離によって前記モータの回転数を制御する構成としたものである。
【００１０】
この手段により羽根からの距離によらず所定の風速で送風することができるシーリングファンが得られる。
【００１１】
また、本発明のシーリングファンは上記目的を達成するために、前記モータは前記羽根の下方約４ｍ、中心から約２ｍの場所での風速が所定の設定風速で送風可能であるようにしたものである。
【００１２】
この手段により１階の天井が２階の天井まで吹抜けになっている場所に設置されても１階部分に所定の風速で送風することができるシーリングファンが得られる。
【００１３】
また、本発明のシーリングファンは上記目的を達成するために、人の場所を検出する人体検知センサを設け、前記羽根の中心からの距離によって区分された領域ごとの前記人体検知センサの検知結果も加味して前記モータの回転数を制御するようにしたものである。
【００１４】
この手段により人の居る場所に所定の風速で送風することができるシーリングファンが得られる。
【００１５】
また、本発明のシーリングファンは上記目的を達成するために、前記人体検出センサは前記測距センサで検出された床面までの距離によって検出角度を変えるようにしたものである。
【００１６】
この手段により羽根の中心から遠く離れた風の届かない場所に居る人を検出することがなくなり、人の居る場所にのみ所定の風速で送風することができるシーリングファンが得られる。
【００１７】
また、本発明のシーリングファンは上記目的を達成するために、羽根の回転面に対して略平行に配置された複数の翼から構成される静止翼を備え、前記羽根の中心からの距離によって区分された領域ごとの前記人体検知センサの検知結果により、前記静止翼の全ての取付け角を変更するようにしたものである。
【００１８】
この手段により、モータの回転数を大幅に上げることなく羽根の中心から離れた場所に居る人に所定の風速で送風することができるシーリングファンが得られる。
【００１９】
また、本発明のシーリングファンは上記目的を達成するために、羽根の中心からの距離によって区分された領域ごとの前記人体検知センサの検知結果により、前記静止翼の一部の取付け角を変更するようにしたものである。
【００２０】
この手段により、一部の静止翼の取付け角を変えるだけで羽根の中心から離れた場所に居る人に所定の風速で送風することができるシーリングファンが得られる。
【００２１】
また、本発明のシーリングファンは上記目的を達成するために、前記人体検知センサの検知がなくなると一定時間後に前記モータの回転数を所定の回転数まで低下するようにしたものである。
【００２２】
この手段により人が居ないときにはモータの回転数を下げることで電力の消費量を削減することができるシーリングファンが得られる。
【００２３】
また、本発明のシーリングファンは上記目的を達成するために、前記人体検知センサから一度検知がなくなり前記モータの回転数を所定の回転数まで低下させた後、前記人体検知センサから再度検知があった場合に前記モータの回転数を設定風速まで上昇するようにしたものである。
【００２４】
この手段により、電力の消費量を削減と風速の設定を再度する手間を省くことができるシーリングファンが得られる。
【００２５】
また、本発明のシーリングファンは上記目的を達成するために、前記人体検知センサの検知がなくなると一定時間後に前記モータを停止するようにしたものである。
【００２６】
この手段によりさらに電力の消費量を削減することができるシーリングファンが得られる。
【００２７】
また、本発明のシーリングファンは上記目的を達成するために、前記人体検知センサから一度検知がなくなり前記モータを停止させた後、前記人体検知センサから再度検知があった場合に前記モータの回転数を設定風速まで上昇するようにしたものである。
【００２８】
この手段によりさらに電力の消費量を削減するとともに、風速の設定を再度する手間を省くことができるシーリングファンが得られる。
【００２９】
また、本発明のシーリングファンは上記目的を達成するために、前記人体検知センサの一定時間内の検知回数が規定値を上回った場合には前記モータの回転数を上昇させるようにしたものである。
【００３０】
この手段により運動時には風速が早くなるので運動に適した涼風感を与えることができるシーリングファンが得られる。
【００３１】
また、本発明のシーリングファンは上記目的を達成するために、前記人体検知センサの一定時間内の検知回数が規定値を上回った場合には前記モータの回転数を上昇させ、前記人体検知センサの一定時間内の検知回数が規定値を下回った場合には前記モータの回転数を所定の回転数まで低下するようにしたものである。
【００３２】
この手段により運動に適した涼風感を与えるとともに、運動終了時に風速の設定を再度する手間を省くことができるシーリングファンが得られる。
【発明の効果】
【００３３】
本発明によれば、シーリングファンから床面までの距離を検出して、モータの回転数を変えることにより、シーリングファンの設置場所および設置高さに関わらず意図した風速で送風できるという効果のあるシーリングファンを提供できる。
【発明を実施するための最良の形態】
【００３４】
本発明の請求項１記載の発明は、中心をシャフトで軸支される外転型のモータと、このモータの回転子に固定される羽根と、前記モータの固定子の下面に固定され前記モータの回転数を制御する制御手段と、床面までの距離を検出する測距センサとを備え、前記制御手段は、前記測距センサからの検出距離によって前記モータの回転数を制御する構成としたものであり、距離が長い時には回転数を高く、距離が短いときには回転数を低くすることにより、シーリングファンの設置高さに関わらず最適な風速が得られるという作用を有する。
【００３５】
また、モータは前記羽根の下方約４ｍ、中心から約２ｍの場所での風速が所定の設定風速で送風可能であるようにしたものであり、一般的な家屋の吹き抜け部分に設置された場合でも所定の風速が得られるという作用を有する。
【００３６】
また、人の場所を検出する人体検知センサを設け、前記羽根の中心からの距離によって区分された領域ごとの前記人体検知センサの検知結果も加味して前記モータの回転数を制御するようにしたものであり、人が居る場所で最適な風速が得られるという作用を有する。
【００３７】
また、前記人体検出センサは前記測距センサで検出された床面までの距離によって検出角度を変えるようにしたものであり、高所に設置された場合、羽根の中心から遠く離れた風の届かない場所に居る人を検出することがないという作用を有する。
【００３８】
また、前記羽根の回転方向に略水平に配置された複数の翼から構成される静止翼を備え、前記羽根の中心からの距離によって区分された領域ごとの前記人体検知センサの検知結果により、前記静止翼の全ての翼の水平面に対する周方向の取付け角を変更するようにしたものであり、前期静止翼の取付け角を水平に近づけると、羽根の中心から離れた場所の風速は大きくなり、モータの回転数をむやみに高くすることなく人の居る場所で所定の風速を得られるという作用を有する。
【００３９】
また、前記羽根の中心からの距離によって区分された領域ごとの前記人体検知センサの検知結果により、前記静止翼の一部を水平面に対する周方向の取付け角を変更するようにしたものであり、人の居る場所の前記静止翼の取付け角を水平に近づけることにより、人の居る場所のみの風速が大きくなり、人の居る場所で所定の風速を得られるという作用を有する。
【００４０】
また、前記人体検知センサの検知がなくなると一定時間後に前記モータの回転数を所定の回転数まで低下するようにしたものであり、モータの回転数を低下させることにより消費電力を低減できるという作用を有する。
【００４１】
また、前記人体検知センサから一度検知がなくなり前記モータの回転数を所定の回転数まで低下させた後、前記人体検知センサから再度検知があった場合に前記モータの回転数を設定風速まで上昇するようにしたものであり、消費電力を低減できるとともに、再度風速を設定する必要がないという作用を有する。
【００４２】
また、前記人体検知センサの検知がなくなると一定時間後に前記モータを停止するようにしたものであり、モータを停止することで、より消費電力を低減できるという作用を有する。
【００４３】
また、前記人体検知センサから一度検知がなくなり前記モータを停止させた後、前記人体検知センサから再度検知があった場合に前記モータの回転数を設定風速まで上昇するようにしたものであり、より消費電力を低減できるとともに、再度風速を設定する必要がないという作用を有する。
【００４４】
また、前記人体検知センサの一定時間内の検知回数が規定値を上回った場合には前記モータの回転数を上昇させるようにしたものであり、人の運動量を前記人体検知センサの検知回数で検知することにより、運動しているときには風速を上げることで、快適感が得られるという作用を有する。
【００４５】
また、前記人体検知センサの一定時間内の検知回数が規定値を上回った場合には前記モータの回転数を上昇させ、前記人体検知センサの一定時間内の検知の回数が規定値を下回った場合には前記モータの回転数を所定の回転数まで低下するようにしたものであり、運動しているときには風速を上げることで快適感が得られ、運動後は元の回転数に戻すことで運動時と同じ快適感を維持することができるという作用を有する。
【００４６】
（実施の形態１）
以下、本発明の実施の形態１について図１〜図３を参照しながら説明する。
【００４７】
中心をシャフト１０１で軸支される外転型のモータ１０２と、このモータ１０２の回転子１０３に固定される羽根１０４と、前記モータ１０２の固定子１０５の下面に固定される制御ボックス１０６と、この制御ボックス１０６に収納される制御手段１と、前記制御ボックス１０６の下面に下向きにリモコンの赤外線信号を受信する受光ユニット１０８と、前記制御ボックス１０６の下面に床面までの距離を測定する測距センサ２で構成されている。
【００４８】
図２は風速分布の一例で、床面までの距離として前記羽根１０４からの距離が２ｍの場所と４ｍの場所での前記モータ１０２の回転数が最大の時の風速を示しており、前記羽根１０４からの距離が離れるにしたがって風速は下がっている。
【００４９】
リーリングファンにおいて通常、風速設定が強の場合の風速は約３ｍ／ｓで、風速設定が弱の場合の風速は約１ｍ／ｓを所定の風速に設定している。
【００５０】
図３は羽根からの距離と風速設定が３段階の場合の強・中・弱の各設定風速を得るためのモータの回転数の関係を示す一例である。
【００５１】
上記構成において、測距センサ２は通電されている間は常に床面との距離を測定し制御手段１に測定結果を入力している。制御手段１は距離の測定結果から各風速設定に対する前記モータ１０２の回転数を算出する。例えば羽根１０４と床面との距離が約２ｍであって、一般的に８畳程度の床面積を想定して羽根の中心から水平方向に２ｍの場所では合には、図３から最大の風速設定である強の３ｍ／ｓに対応する回転数は前記モータ１０２の最大回転数の約６０％程度の回転数となり、最小の風速設定である弱の１ｍ／ｓに対応する回転数は前記モータ１０２の最大回転数の約３０％程度の回転数となる。
【００５２】
シーリングファンの運転時には、リモコン（図示せず）からの風速設定信号を受光ユニット１０８が受信し、制御手段１が受信した風速設定信号に対応する回転数でモータ１０２を駆動し、羽根１０４が回転して送風が行なわれる。例えば、床面からの前記羽根４までの距離が２ｍにシーリングファンが設置されており、弱の風速設定の信号を受光ユニット１０８が受信したとき、制御手段１は前記モータ１０２を最大回転数の約３０％の回転数で駆動する。
【００５３】
以上のように同じ風速設定でも床面からの距離によって回転数を変えることにより、床面付近の風速が所定の風速となり、シーリングファンの設置場所によらず同一の涼風感を得ることができる。
【００５４】
また、前記羽根１０４の下方約４ｍの場所での風速が最大設定風速で送風可能とすることにより、一般的な家屋の１階の天井が２階の天井まで吹抜けのリビング等の床からの高さが５ｍ程度ある２階の天井にシーリングファンが設置されても、人の活動空間である床から１ｍ付近の最大の風速を所定の風速である３ｍ／ｓで送風することができる。
【００５５】
さらに、前記羽根１０４の下方約４ｍ、中心から水平方向へ半径約２ｍの場所での風速が所定の風速で送風可能とすることにより、８畳程度の吹抜けの天井にシーリングファンが設置されても人の活動空間である床から１ｍ付近のほぼ部屋の全体に、所定の風速である３ｍ／ｓで送風することができる。
【００５６】
（実施の形態２）
以下、本発明の実施の形態２について図４〜図７を参照しながら説明する。
【００５７】
本実施の形態では、人のいる場所を検知して所定の風速で送風する実施の形態について説明をする。そして、実施の形態１に加えて、後述する人体検知ユニットを設けたものである。なお、本実施の形態の理解を容易にするために実施の形態１と同一構成のものは同一番号を付してその説明は簡略化する。
【００５８】
そして図４に示すように、制御ボックス１０６の下面に下向きに人の場所を検出する人体検知ユニットを設け、その信号は制御手段１に入力されている。
【００５９】
図５は前記人体検知ユニットの内部構造を示めしており、ユニットケース３の上部に固定されたシャフト４には回転可能な円形状で外周にギアを設けたベース５が接続され、前記ベース５の外周のギアと噛合うように、シャフトにギアを設けたステッピングモータ６がユニットケース３に固定されている。ベース５にはステッピングモータ７が固定され、前記ステッピングモータ７のシャフトの先端には人感センサ８が固定されている。前記ステッピングモータ６、７は制御手段１により回転制御され、前記人感センサ８の出力信号は前記制御手段１に入力されている。
【００６０】
上記構成において、運転中、前記制御手段１はステッピングモータ７を原点である前記人感センサ８の検知方向が下方に向けて垂直になるまで回転させた後、停止させる。この時の前記人感センサ８からの信号により制御手段１は図６に示す羽根１０４中心の真下である中央のゾーンａに人が居るか否かを識別する。次に前記制御手段１はステッピングモータ７を一定角度回転した後に停止し、人感センサ８の向きが円周方向の原点となるゾーンｂ１になるようステッピングモータ６を回転させた後停止させる。この時の前記人感センサ８からの信号によりゾーンｂ１に人が居るか否かを識別する。同様にゾーンｂ２からｂ３までを繰り返す。さらに前記制御手段１はステッピングモータ７を一定角度回転した後に停止し、人感センサ８の向きが円周方向の原点となるゾーンｃ１になるようステッピングモータ６を回転させた後停止させる。この時の前記人感センサ８からの信号によりゾーンｃ１に人が居るか否かを識別する。同様にゾーンｃ２からｂ７までを繰り返す。以上の検出サイクルを運転中は常に繰り返し行う。
【００６１】
制御手段１は人が居るゾーンがａの場合には実施の形態１と同じ回転数でモータ１０２を駆動する。人の居るゾーンがｂ１からｂ４の場合は図３に示すようにゾーンａよりも若干高い回転数でモータ１０２を駆動する。人の居るゾーンがｃ１からｃ８の場合はさらに高い回転数でモータ１０２を駆動する。
【００６２】
以上のように、人の居る場所を検出して最適な風速になるようにモータ１０２の回転数を変化させることにより、人が部屋のどこに居ても快適な涼風感を得ることができる。
【００６３】
また、図７に示すように天井が低い場所に設置された場合、測距センサ２で測定した床面までの距離に応じて、前記制御手段１は前記ステッピングモータ７のゾーンｂ，ｃに対応する回転角度を広くし、逆に天井が高い場所に設置された場合、同様に測距センサ２で測定した床面までの距離に応じて、前記制御手段１は前記ステッピングモータ７のゾーンｂ，ｃに対応する回転角度を狭くする。
【００６４】
以上のように、人感センサ８の検出する角度を天井の高さにより変えることにより、羽根の中心から遠く離れた風の届かない場所に居る人を検出することがなくなり、人の居る場所にのみ所定の風速で送風することができる。
【００６５】
（実施の形態３）
以下、本発明の実施の形態３について図８〜図１０を参照しながら説明する。
【００６６】
本実施の形態は、実施の形態１および２の実施の形態に加えて、後述する静止翼１０を設けたものである。なお、本実施の形態の理解を容易にするために実施の形態１および２と同一構成のものは同一番号を付してその説明は簡略化する。
【００６７】
そして図８に示すように制御ボックス１０６側面に複数のステッピングモータ９が固定され、前記ステッピングモータ９のシャフトにはそれぞれ羽根１０４の回転面に略平行すなわち水平に複数の羽根を有した静止翼１０が固定されている。
【００６８】
前記静止翼１０は、取付け角（静止翼を構成する各羽根面の水平面に対する角度）を変更自在に設けられており、この静止翼１０の各羽根が垂直の場合には、図９の実線で示すように例えば羽根１０４から２ｍ、４ｍの距離での風速分布は、前記静止翼１０がない場合とほとんど差はない。しかし、前記静止翼１０の各羽根が水平の場合には図９の破線で示すように風速分布は前記羽根１０４の中心に近い部分は風速が下がり、逆に前記羽根１０４の中心から離れた場所での風速は上がる。すなわち、静止翼１０の取付け角を調節することで、羽根１０４の中心部分と中心から離れた場所での風速の差を少なくすることができる。そして、前記静止翼１０の取付け角を変えることにより、図１０に示すように羽根の中心からの距離による強・中・弱の各設定風速を得るためのモータの回転数の差は小さくすることができ、結果として、中心からの距離が離れた場所へ送風する場合の回転数を低くすることができる。
【００６９】
上記構成において、制御手段１は人感センサ８により検知した人の場所が図３に示すゾーンａの場合は原点である前記静止翼１０が垂直になるようにステッピングモータ９を回転させるとともに、図１０から設定風速に対応する風速になるようにモータ１０２を駆動する。人の場所がゾーンｂ１からｂ４の場合は前記静止翼１０が約４５度になるようにステッピングモータ９を回転させ、ゾーンｃ１からｃ８の場合は前記静止翼１０が水平になるようにステッピングモータ９を回転させ、同様に図１０から設定風速に対応する風速になるようにモータ１０２を駆動する。
【００７０】
以上のように前期静止翼１０の取付け角を水平に近づけると、羽根の中心から離れた場所の風速は大きくなり、モータ１０２の回転数をむやみに高くすることなく人の居る場所で所定の風速を得ることができる。
【００７１】
また、複数の前記ステッピングモータ９を１個づつ個別に制御できる構成とすることにより、前記静止翼１０の取付け角を１枚づつ自由に変更することができる。
【００７２】
上記構成において、制御手段１は人感センサ８により検知した人の場所が例えば図３に示すゾーンｂ１の場合にはゾーンｂ１の上部にある静止翼１０のみを約４５度にし、他の静止翼１０は垂直の状態を維持する。
【００７３】
以上のように、人の居る場所の必要な前記静止翼のみ取付け角を変更し水平に近づけるだけで、人の居る場所のみの風速が大きくなり、人の居る場所で所定の風速を得ることができる。
【００７４】
（実施の形態４）
本実施の形態は前記実施の形態２に対して、人感センサ８の検知状態に対するモータ１０２の制御方法が異なるものである。なお、本実施の形態の理解を容易にするために同一構成のものは同一番号を付してその説明は簡略化する。
【００７５】
そして図１１に示すように、人感センサ８が人を検知しなくなると、制御手段１は一定時間後にモータ１０２の回転数を所定の回転数として最低回転数まで下げるように制御する。その後、人感センサ８が人を再び検知したときには前記制御手段１はモータ１０２の回転数を設定風速に対応する回転数になるように上昇させる。
【００７６】
以上のように、人が居ないときにはモータの回転数を下げることで電力の消費量を削減することができ、人が戻ってきたときはモータを所定の回転数に戻すことで、人が風速の設定を再びする手間を省くことができる。
【００７７】
（実施の形態５）
本実施の形態は前記実施の形態２に対して、人感センサ８の検知状態に対するモータ１０２の制御方法が異なるものである。なお、本実施の形態の理解を容易にするために同一構成のものは同一番号を付してその説明は簡略化する。
【００７８】
そして図１２に示すように、人感センサ８が人を検知しなくなると、制御手段１は一定時間後にモータ１０２の通電を停止する。その後、人感センサ８が人を再び検知したときには前記制御手段１は前記モータ１０２の通電を開始し、モータ１０２の回転数を設定風量に対応する回転数になるように上昇させる。
【００７９】
以上のように、人が居ないときにはモータの通電を停止することで電力の消費量を削減することができ、人が戻ってきたときはモータを所定の回転数に戻すことで、風速の設定を再度する手間を省くことができる。
【００８０】
（実施の形態６）
本実施の形態は前記実施の形態２に対して、人感センサ８の検知状態に対するモータ１０２の制御方法が異なるものである。なお、本実施の形態の理解を容易にするために同一構成のものは同一番号を付してその説明は簡略化する。
【００８１】
そして図１３に示すように、人感センサ８が一定時間内に人を検知する回数が規定値を上回った場合、すなわち人の動きが激しい場合には制御手段１は前記モータ１０２の回転数を上昇させ、その後、人感センサ８が一定時間内に人を検知する回数が規定値を下回った場合には前記制御手段１は一定時間後に前記モータの回転数を所定の回転数として最低回転数まで低下するように制御する。
【００８２】
以上のように、運動時には風速が早くなるので運動に適した涼風感が得られ、運動終了時に風速の設定を再度する手間を省くことができる。
【産業上の利用可能性】
【００８３】
人の居る場所の風速が設定された風速になるように制御するので、扇風機や室内に設置されるエアコンにも適用できる。
【図面の簡単な説明】
【００８４】
【図１】本発明の実施の形態１のシーリングファンの構造図
【図２】同風速分布図
【図３】同羽根からの距離とモータの回転数との相関図
【図４】本発明の実施の形態２のシーリングファンの構造図
【図５】同人体検知ユニットの構造図
【図６】同検知エリアの平面図
【図７】同検知エリアの立面図
【図８】本発明の実施の形態３シーリングファンの構造図
【図９】同風速分布図
【図１０】同羽根からの距離とモータの回転数との相関図
【図１１】本発明の実施の形態４のタイミングチャート
【図１２】本発明の実施の形態５のイミングチャート
【図１３】本発明の実施の形態６のミングチャート
【図１４】従来のシーリングファンの構造図
【符号の説明】
【００８５】
１    制御手段
２    測距センサ
８    人感センサ
１０  静止翼
【図１】
2010138865.tif 000003
【図２】
2010138865.tif 000004
【図３】
2010138865.tif 000005
【図４】
2010138865.tif 000006
【図５】
2010138865.tif 000007
【図６】
2010138865.tif 000008
【図７】
2010138865.tif 000009
【図８】
2010138865.tif 000010
【図９】
2010138865.tif 000011
【図１０】
2010138865.tif 000012
【図１１】
2010138865.tif 000013
【図１２】
2010138865.tif 000014
【図１３】
2010138865.tif 000015
【図１４】
2010138865.tif 000016